(57)【要約】【課題】座部に座った使用者の大腿部や腰部を左右からマッサージする構造を備えた椅子型マッサージ機において、効果的なマッサージが行われるようにし、また側部マッサージ機構が使用者の起立・着座動作にとって何ら支障とならないようにした椅子型マッサージ機を提供する。【解決手段】本発明の椅子型マッサージ機１では、座部２と、座部２の後部に設けられた背もたれ部３とを有する。座部２又は背もたれ部３の左右両側に、互いに対向配置とされた一対の側部マッサージ機構１０が設けられており、一対の側部マッサージ機構１０は、使用者の側部に押圧マッサージを施す側部押圧部１１と、押圧マッサージ中は、前記側部押圧部１１を左右方向に近接・離反動作を繰り返し行わせ、マッサージ終了後は直ちに左右方向に離反状態となるように動作させる駆動部２２と、を備えている。【選択図】図１
2012105780.tif 000002
【特許請求の範囲】
【請求項１】
座部と、座部の後部に設けられた背もたれ部とを有する椅子型マッサージ機において、
前記座部又は背もたれ部の左右両側に互いに対向配置とされ、且つ患部に押圧マッサージを施療する一対の側部マッサージ機構が設けられており、
前記一対の側部マッサージ機構は、使用者の側部を押圧可能な側部押圧部と、押圧マッサージ中は前記側部押圧部を幅方向に近接動作させ、押圧マッサージ終了後は直ちに側部押圧部を幅方向に離反状態となるように動作させる駆動部と、を備えていることを特徴とする椅子型マッサージ機。
【請求項２】
前記座部の左右両側に肘掛け部が設けられており、
前記左右の肘掛け部の互いに対向する内側面に側部押圧部が埋め込み状態に設けられ、
前記駆動部は、マッサージ終了後直ちに、前記側部押圧部を前記埋め込み状態へと復帰させるように構成されていることを特徴とする請求項１に記載の椅子型マッサージ機。
【請求項３】
前記駆動部は、
前記座部の側部にて起立した状態であって、且つ上端部に側部押圧部が取り付けられている支持部材と、
前記支持部材の下端部を回動自在に枢支し、前記側部押圧部を左右方向に揺動自在に保持させる枢支基部と、
前記支持部材が枢支基部を支点として肘掛け部の内側に収納される方向に回動するように、当該支持部材を付勢する付勢部材と、
前記支持部材の上端部と肘掛け部との間に設けられた拡縮手段と、
を有することを特徴とする請求項２に記載の椅子型マッサージ機。
【発明の詳細な説明】
【技術分野】
【０００１】
本発明は、椅子型マッサージ機に関する。
【背景技術】
【０００２】
椅子型マッサージ機として、座部の後部に背もたれ部が設けられ、背もたれ部に使用者の背部をマッサージするマッサージ機構が備えられたものは周知である。この種の椅子型マッサージ機には、座部の左右両側にエアバッグが対向配置で設けられ、座部に座った使用者の両大腿を、それらの左右両外側からマッサージできるようにした「側部マッサージ機構」が提案されている（特許文献１）。
【先行技術文献】
【特許文献】
【０００３】
【特許文献１】特開２００３−３１９９９０号公報
【発明の概要】
【発明が解決しようとする課題】
【０００４】
特許文献１に開示されたようなマッサージ機構は、座部に着座した使用者の太腿に対し、座部エアバッグ及び側部エアバッグが膨張することで押圧マッサージを行うものとなっている。
このようなマッサージ機構においては、停止操作を行った場合、側部エアバッグの空気がすぐには排出されず一定量のエアが残り、側部エアバッグが膨らんだままの状態となることがあった。膨張状態の側部エアバッグは、使用者の起立時や次の使用者の着座時に引っ掛かりやすいので、使用者の動きを阻害するばかりか、エアバッグが破れる原因となりかねない。
【０００５】
そこで、本発明は上記問題点に鑑み、座部に座った使用者の大腿部や腰部を左右からマッサージする構造を備えた椅子型マッサージ機において、効果的なマッサージが行われるようにし、また側部マッサージ機構が使用者の起立・着座動作にとって何ら支障とならないようにした椅子型マッサージ機を提供することを目的とする。
【課題を解決するための手段】
【０００６】
前記目的を達成するため、本発明においては以下の技術的手段を講じた。
本発明の椅子型マッサージ機は、座部と、座部の後部に設けられた背もたれ部とを有する椅子型マッサージ機において、前記座部又は背もたれ部の左右両側に互いに対向配置とされ、且つ患部に押圧マッサージを施療する一対の側部マッサージ機構が設けられており、前記一対の側部マッサージ機構は、使用者の側部を押圧可能な側部押圧部と、押圧マッサージ中は前記側部押圧部を幅方向に近接動作させ、押圧マッサージ終了後は直ちに側部押圧部を幅方向に離反状態となるように動作させる駆動部と、を備えていることを特徴とする。
【０００７】
好ましくは、前記座部の左右両側に肘掛け部が設けられており、前記左右の肘掛け部の互いに対向する内側面に側部押圧部が埋め込み状態に設けられ、前記駆動部は、マッサージ終了後直ちに、前記側部押圧部を前記埋め込み状態へと復帰させるように構成されているとよい。
好ましくは、前記駆動部は、前記座部の側部にて起立した状態であって、且つ上端部に側部押圧部が取り付けられている支持部材と、前記支持部材の下端部を回動自在に枢支し、前記側部押圧部を左右方向に揺動自在に保持させる枢支基部と、前記支持部材が枢支基部を支点として肘掛け部の内側に収納される方向に回動するように、当該支持部材を付勢する付勢部材と、前記支持部材の上端部と肘掛け部との間に設けられた拡縮手段と、を有するとよい。
【発明の効果】
【０００８】
本発明に係る椅子型マッサージ機によれば、座部に座った使用者の大腿部や腰部に対する効果的なマッサージが行われると共に、マッサージ後において、側部マッサージ機構が使用者の起立・着座動作にとって何ら支障となるようなことはない。
【図面の簡単な説明】
【０００９】
【図１】本発明に係る椅子型マッサージ機の実施形態を示した斜視図である。
【図２】本発明に係る椅子型マッサージ機の正面断面図である。
【図３】側部マッサージ機構の正面拡大断面図である（側部押圧部が近接状態）。
【図４】側部マッサージ機構の正面拡大断面図である（側部押圧部が離反状態）。
【図５】本発明に係る椅子型マッサージ機において、（ａ）は側部押圧部が幅方向に離反している収納状態を示し、（ｂ）は側部押圧部が幅方向に近接している動作状態を示している斜視図である。
【発明を実施するための形態】
【００１０】
以下、本発明の実施形態を、図を基に説明する。
図１〜図５は、本発明に係る椅子型マッサージ機１の一つの実施形態を示している。この椅子型マッサージ機１は、ミニソファ型のマッサージ椅子である。
椅子型マッサージ機１は、座部２と、座部２の後部に設けられた背もたれ部３とを有している。座部２の下には、この座部２に着座した使用者の下肢を揉みマッサージするための足揉み装置４が設けられている。
【００１１】
図１，図２に示すように、座部２の下部には、この椅子型マッサージ機１を床面Ｆへ設置するための脚フレーム５が設けられており、この脚フレーム５によって座部２が所定高さに支持されるようになっている。また、座部２の両側を挟むようにして肘掛け部６が設けられており、これら肘掛け部６によって脚フレーム５が外から見えないように隠されている。
【００１２】
なお、以下の説明において、図１で示した方向を、前後方向、左右方向とし、説明の際に用いることにする。これらの方向は、椅子型マッサージ機１に座った使用者から見たものと一致する。なお、左右方向を幅方向と表記することもある。
椅子型マッサージ機１の座部２は、使用者の臀部を下方から支持するに十分な広さを有している。
【００１３】
背もたれ部３は、その高さが着座した使用者の背部の上下略中央までしか伸びておらず、椅子型マッサージ機１はミニソファ型となっている。背もたれ部３の下端部が座部２の後部又は脚フレーム５の後部に対して前後揺動自在な状態に枢支されている。この背もたれ部３は、脚フレーム５内に配設されたリクライニング機構（図示せず）により、手動でリクライニング可能となっている。
【００１４】
背もたれ部３の内部には、エアバッグが膨縮することで背部に対する押圧マッサージを行う背部用マッサージ機構７が設けられている。
足揉み装置４は箱形に形成されたもので、その正面には使用者の下肢（左右の足）を嵌め入れ可能にする左右一対の保持溝８，８が形成され、これら各保持溝８内に、下肢に対して揉みマッサージを行う下肢用マッサージ機構（図示略）が内蔵されている。
【００１５】
この足揉み装置４は、座部２の下方（脚フレーム５の内部）に設けられた進退機構により座部２の前方へ進出し、着座姿勢の使用者の下肢をマッサージ可能な使用位置と、座部２の下方に形成された収納位置との間を移動可能になっている。
図１，図２に示す如く、座部２の左右両側に設けられた肘掛け部６には、使用者の太腿部から腰部にかけて側方から押圧マッサージを施す一対の側部マッサージ機構１０が設けられている。
【００１６】
詳しくは、この側部マッサージ機構１０は、使用者の太腿部や腰部を押圧マッサージする側部押圧部１１を有している。この側部押圧部１１は、座部２より上部で左右の肘掛け部６の互いに対向する内側面（左側の肘掛け部６の右側面、右側の肘掛け部６の左側面）に、未使用時において埋め込み状態（収納状態）で設けられている。すなわち、これら左右の側部押圧部１１は、使用者の着座位置を挟んで対向配置とされている。
【００１７】
側部押圧部１１は、前後方向に長い長方形状であって使用者の太腿部や腰部に対応した大きさとなっている。側部押圧部１１は、押圧マッサージ効果を高めるべく、所定の厚みを有していて、ウレタンなどの比較的硬質なクッション材から構成されている。
側部押圧部１１は、未使用時において、肘掛け部６の内側面のほぼ中央に埋め込まれた形で配設されており、収納状態とされている。本実施形態の場合、収納状態にある側部押圧部１１の押圧面（使用者の腰部などに対面する側部押圧部１１の面）は、肘掛け部６の内側面から数ｃｍほど突出した状態となっている。
【００１８】
さらに、この側部押圧部１１は駆動部２２に連結されている。この駆動部２２の働きにより、左右の側部押圧部１１は、押圧マッサージ中において左右方向で座部２に対して近接動作と離反動作を繰り返し行い、マッサージ終了後は直ちに左右方向に離反し収納状態に戻る。
図３，図４に示す如く、側部マッサージ機構１０を構成する駆動部２２は、座部２の側方にて起立した状態で、且つ上端部に側部押圧部１１が取り付けられている支持部材１２を有している。
【００１９】
この支持部材１２の下端部は、枢支基部１３により、前後方向に沿った軸芯回りに回動自在に枢支されていて、側部押圧部１１を幅方向に揺動自在に保持している。枢支基部１３には、支持部材１２が枢支基部１３を支点として肘掛け部６の内側に収納される方向に回動するように付勢する付勢部材１４が備えられている。さらに、駆動部２２は、支持部材１２の上端部であって、側部押圧部１１の裏面（押圧面とは反対側の面）と肘掛け部６との間に設けられたエアバッグ１５（拡縮手段）とを有している。
【００２０】
駆動部２２を構成する支持部材１２は、押圧面が幅方向内側を向くように側部押圧部１１が取り付けられる取付体１６と、この取付体１６の下方へ突出して設けられた前後２本一組の揺動アーム１７（前方の１本のみ図示）とを有している。この支持部材１２は、肘掛け部６の内部に配備されている。
この一組の揺動アーム１７の基端側は、軸心を前後方向へ向けた枢軸１８により脚フレーム５に対して回動自在に枢支されていて枢支基部１３を構成している。この枢支基部１３により、揺動アーム１７すなわち支持部材１２は左右方向に揺動自在となっている。
【００２１】
付勢部材１４は、枢支基部１３の枢軸１８を支点として、側部押圧部１１が収納状態に向かう方向（幅方向外側）へ揺動するように、揺動アーム１７を付勢するものである。具体的には、この付勢部材１４はコイルスプリングで構成され、このコイルスプリングの一方端が脚フレーム５側（固定側）に取り付けられ、他方端が揺動アーム１７に取り付けられている。コイルスプリングの捻り力により、揺動アーム１７を枢支基部１３の枢軸１８回りに幅方向外側へ付勢している。
【００２２】
エアバッグ１５は、支持部材１２の取付体１６の裏面（幅方向外側の面）と、肘掛け部６を構成する側壁部材１９との間に設けられている。
本実施形態のエアバッグ１５は、取付体１６の裏面に連接する第１エアバッグ２０と、肘掛け側に設けられた第２エアバッグ２１（バックアップ袋）とが重ね合わされ連結された構造となっている。
【００２３】
第１エアバッグ２０及び第２エアバッグ２１は、各々、通気性のない円形状の布体を２枚重ね合わせることで形成されている。２枚の布体の周縁部は、縫着又は接着等により結合されている。第１エアバッグ２０と第２エアバッグ２１とは積層された上で、円形中央部が内部連通した構造とされ、両エアバッグ１５の内部は、空気が通過可能に連通するものとなっている。
【００２４】
このような構造を有するエアバッグ１５は、椅子型マッサージ機１に設けられたエア供給手段（図示せず）から空気が供給されないときには薄く扁平な外形を呈しているが、空気が供給されると、第１エアバッグ２０と第２エアバッグ２１とが共に、肘掛け部６から膨出して、付勢部材１４の引き戻し力に抗しつつ側部押圧部１１を肘掛け部６より突出させる。これによって、エアバッグ１５は、側部押圧部１１を座部２に着座した使用者の臀部や太腿部の側部に、マッサージするように押圧する。
【００２５】
本実施形態の場合、前述したエア供給手段は、椅子型マッサージ機１の内部に内蔵されていて、左右のエアバッグ１５に空気を供給可能となっている。エア供給手段は、エアバッグ１５内が所定の圧力に達すると空気の供給を一旦停止し、その状態で保持可能となっている。また、エア供給手段内に設けられた放出弁を開状態にすることで、エアバッグ１５内の空気を抜くことができる。
【００２６】
このような空気の供給、停止、排出を繰り返すことで、エア供給手段はエアバッグ１５を膨張又は収縮させる。
以上述べたような構造を有する椅子型マッサージ機１の側部マッサージ機構１０の動き、特に、駆動部２２の動きについて、以下に述べる。
なお、側部マッサージ機構１０は左右一対に存在するが、その動きは略同様であるため、以下、右側の側部マッサージ機構１０の説明を行う。
【００２７】
図４、図５（ａ）に示すように、本実施形態による椅子型マッサージ機１は、作動開始前の状態では、エア供給手段が動作しておらず、エアバッグ１５に空気が供給されていない。従って、エアバッグ１５は収縮状態であり、支持部材１２は、付勢部材１４によって肘掛け部６側に引きつけられて起立している。このとき、支持部材１２の上端側に取り付けられた側部押圧部１１は、肘掛け部６の内側面から数ｃｍほど突出した状態で埋め込まれた状態で保持されている。
【００２８】
側部押圧部１１が収納状態にある椅子型マッサージ機１の座部２に使用者が着席して、椅子型マッサージ機１を作動させると、エア供給手段はエアバッグ１５に空気を供給し始める。
すると、図３、図５（ｂ）に示すように、エア供給手段からの空気の供給に伴って右側のエアバッグ１５が膨張し始める。エアバッグ１５内の空気圧が付勢部材１４の引き戻し力を超えると、枢支基部１３を支点として座部２へ近接する方向（幅方向内側）への揺動を開始し、支持部材１２は座部２側に倒れ始め、この倒れ込み揺動に合わせて、支持部材１２の上端側に取り付けられた側部押圧部１１は、使用者の施療部（太腿の右側部〜臀部の右側部）に当接し押圧するようになる。
【００２９】
側部押圧部１１が施療部に当接した後も、エア供給手段が所定の圧力となるまで空気を供給すれば、施療部は押圧マッサージ状態を維持できるものとなる。
その後、エア供給手段を動作させ、エアバッグ１５から空気を抜くようにすれば、支持部材１２は、付勢部材１４の引き戻し力によって肘掛け部６側（幅方向外側）に引き戻される。このとき、付勢部材１４の引き戻し力によって、エアバッグ１５は偏平状態となるように押され、その結果、内部の空気が抜けて、側部押圧部１１は収納状態に戻る。
【００３０】
上記のような空気の供給と停止と排気を繰り返すことで、使用者の施療部では、側部押圧部１１による押圧と解放が繰り返され、押圧マッサージが行われることとなる。
押圧マッサージが終了した後に椅子型マッサージ機１を停止させると、エア供給手段の動作も停止する。そのとき支持部材１２は、付勢部材１４によって直ちに離反状態となる方向に引き戻されるので、その引き戻し力によってエアバッグ１５の空気を迅速に抜くことができる。これによって側部押圧部１１が迅速に使用者の施療部から離れて、肘掛け部６に収納状態となる。それ故、側部押圧部１１は使用者の起立・着座動作にとって何ら支障とならないものとなる。
【００３１】
以上、右側の側部マッサージ機構１０の作動態様を説明したが、左側の側部マッサージ機構１０の作動態様も、右側のものと略同様である。
それ故、これら左右一対の側部マッサージ機構１０を互いに同調させて駆動し、側部押圧部１１を座部２側へ近接又は座部２側から離反させることで、使用者の左右の施療部を押圧マッサージできるようになる。なお、側部押圧部１１による押圧タイミングは、左右同時であってもよいし、一方の側部押圧部１１を近接動作させているときに他方の側部押圧部１１を離反動作させることで、使用者の左右の施療部を交互に押圧してもよい。このように、左右の側部マッサージ機構１０（特に駆動部２２）による側部押圧部１１の近接動作及び離反動作のタイミングを変化させることで、様々な押圧マッサージのメニューを実現することができる。
【００３２】
なお、今回開示された実施形態はすべての点で例示であって制限的なものではないと考えられるべきである。本発明の範囲は前記した説明ではなくて特許請求の範囲によって示され、特許請求の範囲と均等の意味及び範囲内でのすべての変更が含まれることが意図される。
エアバッグ１５において、通気性のない２枚の円形状の布体の重ね合わせ構造になっている点や、第１エアバッグ２０と第２エアバッグ２１とは積層されている構造などは、特に限定されるものではない。例えばエアバッグ１５は、膨出と収縮とを行う方向で蛇腹構造になったものや単一の袋構造を有したものなどとすることも可能である。
【符号の説明】
【００３３】
１      椅子型マッサージ機
２      座部
３      背もたれ部
４      足揉み装置
５      脚フレーム
６      肘掛け部
７      背部用マッサージ機構
８      保持溝
１０    側部マッサージ機構
１１    側部押圧部
１２    支持部材
１３    枢支基部
１４    付勢部材
１５    エアバッグ（拡縮手段）
１６    取付体
１７    揺動アーム
１８    枢軸
１９    側壁部材
２０    第１エアバッグ
２１    第２エアバッグ
２２    駆動部
【図１】
2012105780.tif 000003
【図２】
2012105780.tif 000004
【図３】
2012105780.tif 000005
【図４】
2012105780.tif 000006
【図５】
2012105780.tif 000007